【誤訳訂正書】
【提出日】平成31年1月31日(2019.1.31)
【誤訳訂正１】
【訂正対象書類名】明細書
【訂正対象項目名】０１２２
【訂正方法】変更
【訂正の内容】
【０１２２】
一実施形態において、第１の基材及び第２の基材は、互いに対向し、第１の粘性層を第２の粘性層と接触して配置するように構成されている。わずかな力の適用（例えば、指圧、手圧、または対向する２本の指間の押圧もしくは圧搾）は、第１の粘性層を第２の粘性層との密接な接触をもたらし、第１の粘性層と第２の粘性層との間に粘性のある咬み合いを提供する。本明細書で使用するとき、「粘性のある咬み合い」という用語は、第１の粘性層の第２の粘性層への解放可能な付着であり、各粘性層は、異なる周囲表面に接着しない、異なる材料に接着しない、あるいは異なる構造に接着しない。別の言い方をすれば、「粘性のある咬み合い」は、第２の粘性層のみに対する第１の粘性層の解放可能な付着である。
【誤訳訂正２】
【訂正対象書類名】明細書
【訂正対象項目名】０１８７
【訂正方法】変更
【訂正の内容】
【０１８７】
本開示は本明細書に含まれる実施形態及び説明に限定されないが、以下の特許請求の範囲の範囲内に入るように、実施形態の部分及び異なる実施形態の要素の組み合わせを含む、これらの実施形態の修正された形態を含むことが特に意図されている。
本発明は、以下の態様を含む。
［１］
組成物であって、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、の成分を含む、前記組成物。
［２］
前記エチレン系ポリマーが、０．５ｇ／１０分〜７５ｇ／１０分のメルトインデックスを有する、［１］に記載の前記組成物。
［３］
前記オレフィンブロックコポリマーが、エチレン／α−オレフィンマルチブロックコポリマーである、［１］または［２］に記載の前記組成物。
［４］
前記粘着付与剤が、非水素化脂肪族Ｃ５樹脂、水素化脂肪族Ｃ５樹脂、芳香族変性Ｃ５樹脂、テルペン樹脂、水素化Ｃ９樹脂、及びこれらの組み合わせからなる群から選択され、前記粘着付与剤が、０．９２ｇ／ｃｃ〜１．０６ｇ／ｃｃの密度、及び１７５℃で１０００パスカル秒（Ｐａ・ｓ）未満の溶融粘度を有する、［１］〜［３］のいずれかに記載の前記組成物。
［５］
前記エチレン系ポリマーが、３０ｇ／１０分〜５０ｇ／１０分のメルトインデックスを有するエチレンホモポリマーである、［１］〜［４］のいずれかに記載の前記組成物。
［６］
（ａ）３０重量％〜５０重量％の前記オレフィンブロックコポリマー、
（ｂ）３０重量％〜５０重量％の前記粘着付与剤、
（ｃ）５重量％〜１５重量％の前記エチレン系ポリマー、及び
（ｄ）５重量％〜１５重量％の油、を含む、［１］〜［５］のいずれかに記載の前記組成物。
［７］
前記組成物中に存在するオレフィンブロックコポリマーの量が、前記組成物中に存在する粘着付与剤の量以上である、［１］〜［６］のいずれかに記載の前記組成物。
［８］
前記組成物が、０．８５０ｇ／ｃｃ〜０．９２５ｇ／ｃｃの密度を有する、［１］〜［７］のいずれかに記載の前記組成物。
［９］
前記組成物が、１０ｇ／１０分〜１００ｇ／１０分（１９０℃及び２．１６ｋｇ）のメルトインデックスを有する、［１］〜［８］のいずれかに記載の前記組成物。
［１０］
前記組成物が、１時間超の重ね剪断を有する、［１］〜［９］のいずれかに記載の前記組成物。
［１１］
前記組成物が、「０Ｎ／インチ超」〜４Ｎ／インチの１８０°剥離力を有する、［１］〜［１０］のいずれかに記載の前記組成物。
［１２］
前記組成物が、１Ｎ／インチ〜１０Ｎ／インチのＴ剥離力を有する、［１］〜［１１］のいずれかに記載の前記組成物。
［１３］
［１］〜［１２］のいずれかに記載の前記組成物から形成された、フィルム。
［１４］
［１］〜［１２］のいずれかに記載の前記組成物から形成された少なくとも１つの構成要素を含む、物品。
［１５］
締結装置であって、
第１の粘性層を含む第１の基材と、
第２の粘性層を含む第２の基材と、を含み、
各粘性層が、独立して、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、を含む組成物から形成される、前記締結装置。
【誤訳訂正３】
【訂正対象書類名】特許請求の範囲
【訂正対象項目名】全文
【訂正方法】変更
【訂正の内容】
【特許請求の範囲】
【請求項１】
組成物であって、
ａ）３０重量％〜６０重量％のオレフィンブロックコポリマー、
ｂ）３０重量％〜６０重量％の粘着付与剤、
ｃ）５重量％〜１５重量％の０．９０ｇ／ｃｃ〜０．９４ｇ／ｃｃの密度を有するエチレン系ポリマー、
ｄ）５重量％〜２０重量％の油、および
ｅ）０重量％〜１０重量％の少なくとも１つの添加剤
の成分を含み、各重量％が前記組成物の重量に基づくものである、前記組成物。
【請求項２】
前記エチレン系ポリマーが、０．５ｇ／１０分〜７５ｇ／１０分のメルトインデックスを有する、請求項１に記載の前記組成物。
【請求項３】
前記オレフィンブロックコポリマーが、エチレン／α−オレフィンマルチブロックコポリマーである、請求項１または請求項２に記載の前記組成物。
【請求項４】
前記粘着付与剤が、非水素化脂肪族Ｃ５樹脂、水素化脂肪族Ｃ５樹脂、芳香族変性Ｃ５樹脂、テルペン樹脂、水素化Ｃ９樹脂、及びこれらの組み合わせからなる群から選択され、前記粘着付与剤が、０．９２ｇ／ｃｃ〜１．０６ｇ／ｃｃの密度、及び１７５℃で１０００パスカル秒（Ｐａ・ｓ）未満の溶融粘度を有する、請求項１〜３のいずれか一項に記載の前記組成物。
【請求項５】
前記エチレン系ポリマーが、３０ｇ／１０分〜５０ｇ／１０分のメルトインデックスを有するエチレンホモポリマーである、請求項１〜４のいずれか一項に記載の前記組成物。
【請求項６】
（ａ）３０重量％〜５０重量％の前記オレフィンブロックコポリマー、
（ｂ）３０重量％〜５０重量％の前記粘着付与剤、
（ｃ）５重量％〜１５重量％の前記エチレン系ポリマー、及び
（ｄ）５重量％〜１５重量％の油、を含む、請求項１〜５のいずれか一項に記載の前記組成物。
【請求項７】
前記組成物中に存在するオレフィンブロックコポリマーの量が、前記組成物中に存在する粘着付与剤の量以上である、請求項１〜６のいずれか一項に記載の前記組成物。
【請求項８】
前記組成物が、０．８５０ｇ／ｃｃ〜０．９２５ｇ／ｃｃの密度を有する、請求項１〜７のいずれか一項に記載の前記組成物。
【請求項９】
前記組成物が、１０ｇ／１０分〜１００ｇ／１０分（１９０℃及び２．１６ｋｇ）のメルトインデックスを有する、請求項１〜８のいずれか一項に記載の前記組成物。
【請求項１０】
前記組成物が、１時間超の重ね剪断を有し、前記重ね剪断がＡＳＴＭ  Ｄ３１６４Ｍ−０３に従って測定したものである、請求項１〜９のいずれか一項に記載の前記組成物。
【請求項１１】
前記組成物が、「０Ｎ／インチ超」〜４Ｎ／インチの１８０°剥離力を有する、請求項１〜１０のいずれか一項に記載の前記組成物。
【請求項１２】
前記組成物が、１Ｎ／インチ〜１０Ｎ／インチのＴ剥離力を有する、請求項１〜１１のいずれか一項に記載の前記組成物。
【請求項１３】
請求項１〜１２のいずれか一項に記載の前記組成物から形成された、フィルム。
【請求項１４】
請求項１〜１２のいずれか一項に記載の前記組成物から形成された少なくとも１つの構成要素を含む、物品。
【請求項１５】
衛生吸収性製品、医療用衣服、防護衣服、医療用ドレープ、及びこれらの組み合わせからなる群から選択される物品用の締結装置であって、
第１の粘性層を含む第１の基材と、
第２の粘性層を含む第２の基材と、を含み、
前記第１の基材と前記第２の基材が互いに対向し、前記第１の粘性層を前記第２の粘性層と接触して配置するように構成されており、
各粘性層が、独立して、
ａ）３０重量％〜６０重量％のオレフィンブロックコポリマー、
ｂ）３０重量％〜６０重量％の粘着付与剤、
ｃ）５重量％〜１５重量％の０．９０ｇ／ｃｃ〜０．９４ｇ／ｃｃの密度を有するエチレン系ポリマー、
ｄ）５重量％〜２０重量％の油、および
ｅ）０重量％〜１０重量％の少なくとも１つの添加剤
を含み、各重量％が前記組成物の重量に基づくものである組成物から形成される、前記締結装置。